(57)【要約】      （修正有）【課題】ロータリーマグネット式シャッターを備えた撮像装置において、プリ通電を行う際、プリ通電から本通電までに必要な時間の短縮可能な撮像装置を提供する。【解決手段】ロータリーマグネット式シャッターを備えた撮像装置において、プリ通電を行う際、電源部とコンデンサとアクチュエータと第１スイッチと第２スイッチを有し、コンデンサは片端を接地線、他端を第２スイッチを介して電源部およびアクチュエータと接続され、アクチュエータは片端を第１スイッチ、他端を第２スイッチおよび電源部と接続され、第１スイッチの他端は接地線に接続され、第１スイッチをＯＮ、第２スイッチをＯＮすることにより、コンデンサに蓄えられたエネルギーを用いて、電力をアクチュエータへ供給する第１通電パスを形成し、第１スイッチをＯＮ、第２スイッチをＯＦＦすることにより、電源部から、電力をアクチュエータへ供給する第２通電パスを形成する。【選択図】図２
2017037203.tif 000002
【特許請求の範囲】
【請求項１】
撮像素子（１０４）への光路を遮蔽するように、前記撮像素子（１０４）に対して走行するシャッター幕（２００）と、
前記シャッター幕（２００）を走行させる駆動部材（２０１）と、
前記シャッター幕（２００）を走行させるために前記駆動部材（２０１）を付勢する付勢部材（２０２）と、
前記駆動部材（２０１）を前記付勢部材（２０２）による付勢力に抗した状態で係止する係止部材（２０３）と、
前記係止部材（２０３）による前記駆動部材（２０１）の係止を解除するために駆動されるアクチュエータ（２０５）と、
各ブロックに電源を供給する電源部（１０９）と、
前記アクチュエータ（２０５）を駆動させ、前記係止部材（２０３）を解除し前記シャッター幕（２００）を走行させるための第１の電力を蓄えるコンデンサ（２０６）と、
前記コンデンサ（２０６）の放電を行う 第1のスイッチ（２０７） と、
前記コンデンサ（２０６）と直列に接続された第２のスイッチ（２０８）と、
前記第１の電力を、前記アクチュエータ（２０５）に供給する第１のパスを形成する手段（２０６、２０７、２０８）と
前記撮像素子（１０４）を露光するための露光動作前に、前記第１の電力より少なく、且つ前記係止部材（２０３）を解除しない程度の第2の電力を前記アクチュエータ（２０５）に供給するための第２のパスを形成する手段（１０９、２０４、２０７）
を有することを特徴とする撮像装置おいて、  
前記第１のパスを形成する手段（２０６、２０７、２０８）は、
前記コンデンサ（２０６）の片端を前記接地線（２１２）、他端を前記第2のスイッチ（２０８）を介して前記電源部（１０９）および前記アクチュエータ（２０５）と接続し、 
前記アクチュエータ（２０５）の片端を前記第1のスイッチ（２０７）、他端を前記第2のスイッチ（２０８）および電源部（１０９）と接続し、
前記第1のスイッチ（２０７）の他端を前記接地線（２１２）に接続し、 
前記第1のスイッチ（２０７）をＯＮ、前記第2のスイッチ（２０８）をＯＮすることにより、 
前記コンデンサ（２０６）に蓄えられたエネルギーを用いて、前記第1の電力を前記アクチュエータ（２０５）へ供給することを特徴とし、
前記第２のパスを形成する手段（１０９、２０４、２０７）は、 
前記第1のスイッチ（２０７）をＯＮ、前記第2のスイッチ（２０８）をＯＦＦすることにより、 
前記電源部（１０９）から、前記第2の電力を前記アクチュエータ（２０５）へ供給することを特徴 とする撮像装置。
【請求項２】
撮像素子（１０４）への光路上に配置され、前記撮像素子（１０４）を所定の露光時間だけ露光するように走行するシャッター幕（２００）と、
前記シャッター幕（２００）を走行させる駆動部材（２０１）と、
前記シャッター幕（２００）を走行させるために前記駆動部材（２０１）を付勢する付勢部材（２０２）と、
前記駆動部材（２０１）を前記付勢部材（２０２）による付勢力に抗した状態で係止する係止部材（２０３）と、
前記係止部材（２０３）による前記駆動部材（２０１）の係止を解除するために駆動されるアクチュエータ（２０５）と、
各ブロックに電源を供給する電源部（１０９）と、
前記アクチュエータ（２０５）を駆動させ、前記係止部材（２０３）を解除し前記シャッター幕（２００）を走行させるための第１の電力を蓄えるコンデンサ（２０６）と、
前記第１の電力より少なく、且つ前記係止部材（２０３）を解除しない程度の第2の電力を蓄えるための第２のコンデンサ（４００）と
前記第１のコンデンサ（２０６）および第２のコンデンサ（４００）の放電を行う 第1のスイッチ（２０７） と、
前記第１のコンデンサ（２０６）と直列に接続された第２のスイッチ（２０８）と
前記第２のコンデンサ（４００）と直列に接続された第３のスイッチ（４０１）と
前記第１の電力を、前記アクチュエータ（２０５）に供給する第１のパスを形成する手段（２０６、２０７、２０８）と
前記撮像素子（１０４）を露光するための露光動作前に、前記第2の電力を前記アクチュエータ（２０５）に供給するための第２のパスを形成する手段（２０７、４００，４０１）
を有する撮像装置おいて、    
前記第１のパスを形成する手段は、
前記第1のコンデンサ（２０６）の片端を前記接地線（２１２）、他端を前記第2のスイッチ（２０８）を介して前記電源部（１０９）、前記アクチュエータ（２０５）および前記第3のスイッチ（４０１）に接続し 、
前記第２のコンデンサの片端を前記接地線（２１２）、他端を前記第3のスイッチ（４０１）を介して前記電源部（１０９）、前記アクチュエータ（２０５）および前記第２のスイッチ（４０１）に接続し、
前記アクチュエータ（２０５）の片端を前記第１のスイッチ（２０７）、他端を前記第２のスイッチ（２０８）、前記第３のスイッチ（４０１）および前記電源部（１０９）と接続し、 
前記第1のスイッチ（２０７）の他端は接地線（２１２）に接続し、 
前記第１のスイッチ（２０７）をＯＮ、前記第２のスイッチ（２０８）をＯＮ、前記第３のスイッチ（４０１）をＯＦＦすることにより、 
前記第1のコンデンサ（２０６）に蓄えられたエネルギーを用いて、前記第1の電力を前記アクチュエータ（２０５）へ供給することを特徴とし 
前記第２のパスを形成する手段（２０７、４００，４０１）は、
前記第1のスイッチ（２０７）をＯＮ、前記第2のスイッチ（２０８）をＯＦＦ、前記第3のスイッチ（４０１）をＯＮすることにより、 
前記第2のコンデンサ（４００）に蓄えられたエネルギーを用いて、前記第2の電力を前記アクチュエータ（２０５）に供給することを特徴とする撮像装置。
【請求項３】
撮像素子（１０４）への光路上に配置され、前記撮像素子（１０４）を所定の露光時間だけ露光するように走行するシャッター幕（２００）と、
前記シャッター幕（２００）を走行させる駆動部材（２０１）と、
前記シャッター幕（２００）を走行させるために前記駆動部材（２０１）を付勢する付勢部材（２０２）と、
前記駆動部材（２０１）を前記付勢部材（２０２）による付勢力に抗した状態で係止する係止部材（２０３）と、
前記係止部材（２０３）による前記駆動部材（２０１）の係止を解除するために駆動されるアクチュエータ（２０５）と、
各ブロックに電源を供給する電源部（１０９）と、
前記アクチュエータ（２０５）を駆動させ、前記係止部材（２０３）を解除し前記シャッター幕（２００）を走行させるための第１の電力を蓄えるコンデンサ（２０６）と、
前記電源部（１０９）から前記コンデンサ（２０６）への充電電流を最適化する第1の電流制御手段（６００）と、
前記電源部（１０９）から前記アクチュエータ（２０５）へ、前記第１の電力より少なく且つ前記係止部材（２０３）を解除しない程度の第2の電力を供給する際の電流を最適化する第2の電流制御手段（６０１）と、
前記コンデンサ（２０６）の放電を行う 第1のスイッチ（２０７） と、
前記コンデンサ（２０６）と直列に接続された第２のスイッチ（２０８）と、
前記第1の電流制御手段（６００）と直列に接続された第4のスイッチ（６０２）と
前記第2の電流制御手段（６０１）と直列に接続された第5のスイッチ （６０３）と
前記第１の電力を、前記アクチュエータ（２０５）に供給する第のパスを形成する手段（２０６、２０７、２０８）と、
前記撮像素子（１０４）を露光するための露光動作前に、前記第2の電力を前記アクチュエータ（２０５）に供給するための第２のパスを形成する手段（１０９、２０７、６０１、６０３）と
を有する撮像装置において、
前記第１のパスを形成する手段（２０６、２０７、２０８）は
前記コンデンサ（２０６）の片端を前記接地線（２１２）、他端を前記第2のスイッチ（２０８）を介して、前記第4のスイッチ（６０２）、前記第5のスイッチ（６０３）および前記アクチュエータ（２０５）に接続し、
前記第4のスイッチ（６０２）の他端を前記第１の電流制御手段（６００）を介して前記電源部（１０９）に接続し、 
前記第5のスイッチ（６０３）の他端を前記第２の電流制御手段（６０１）を介して前記電源部（１０９）に接続し、 
前記アクチュエータ（２０５）の片端を前記第1のスイッチ（２０７）、他端を前記第2のスイッチ（２０８）、前記第4のスイッチ（６０２）および前記第5のスイッチ（６０３）と接続し、 
前記第1のスイッチ（２０７）の他端は前記接地線（２１２）に接続し、 
前記第1のスイッチ（２０７）をＯＦＦ、前記第2のスイッチ（２０８）をＯＮ、前記第4のスイッチ（６０２）をＯＮ、前記第5のスイッチ（６０３）をＯＦＦすることにより、 
前記電源部（１０９）から前記第１の電流制御手段（６００）を介して前記コンデンサ（２０６）へ充電を行い 、
前記第１のスイッチ（２０７）をＯＮ、前記第2のスイッチ（２０８）をＯＮ、前記第5のスイッチ（６０３）をＯＦＦすることにより、 
前記コンデンサ（２０６）に蓄えられたエネルギーを用いて、前記第1の電力を前記アクチュエータ（２０５）へ供給することを特徴とし、
前記第２のパスを形成する手段（１０９、２０７、６０１、６０３）は
前記第１のスイッチ（２０７）をＯＮ、前記第2のスイッチ（２０８）をＯＦＦ、前記第4のスイッチ（６０２）をＯＦＦ、前記第5のスイッチ（６０３）をＯＮすることにより、 
前記電源部（１０９）から前記第2の電流制御手段（６０１）を介して、前記第2の電力を前記アクチュエータ（２０５）へ供給することを特徴とする撮像装置。
【請求項４】
撮像素子（１０４）への光路上に配置され、前記撮像素子（１０４）を所定の露光時間だけ露光するように走行するシャッター幕（２００）と、
前記シャッター幕（２００）を走行させる駆動部材（２０１）と、
前記シャッター幕（２００）を走行させるために前記駆動部材（２０１）を付勢する付勢部材（２０２）と、
前記駆動部材（２０１）を前記付勢部材（２０２）による付勢力に抗した状態で係止する係止部材（２０３）と、
前記係止部材（２０３）による前記駆動部材（２０１）の係止を解除するために駆動されるアクチュエータ（２０５）と、
各ブロックに電源を供給する電源部（１０９）と、
前記アクチュエータ（２０５）を駆動させ、且つ前記係止部材（２０３）を解除し前記シャッター幕（２００）を走行させるための第１の電力を蓄えるコンデンサ（２０６）と、
前記電源部（１０９）から前記アクチュエータ（２０５）へ、前記第１の電力より少なく且つ前記係止部材（２０３）を解除しない程度の第2の電力を供給する際の電流を最適化する第３の電流制御手段（８００）と、
前記第３の電流制限手段（８００）と直列に接続され、前記電源部（１０９）から前記コンデンサ（２０６）への充電電流を最適化する第４の電流制御手段（８０１）と、
前記コンデンサ（２０６）の放電を行う 第１のスイッチ（２０７） と、
前記コンデンサ（２０６）と直列に接続された第２のスイッチ（２０８）と、
前記第３の電流制御手段（８００）と直列に接続された第６のスイッチ（８０２） と
前記第１の電力を、前記アクチュエータ（２０５）に供給する第のパスを形成する手段（２０６、２０７、２０８）と、
前記撮像素子（１０４）を露光するための露光動作前に、前記第2の電力を前記アクチュエータ（２０５）に供給するための第２のパスを形成する手段（１０９、２０７、８００、８０２）
を有する撮像装置において、
前記第１のパスを形成する手段（２０６、２０７、２０８）は 
前記コンデンサ（２０６）の片端を前記接地線（２１２）、他端を前記第2のスイッチ（２０８）を介して、前記第6のスイッチ（８０２）、前記アクチュエータ（２０５）、および前記第４の電流制御（８０１）に接続し、 
前記第６のスイッチ（８０２）は他端を前記第3の電流制御手段（８００）を介して電源部（１０９）に接続し、 
前記アクチュエータ（２０５）は片端を前記第1のスイッチ（２０７）、他端を前記第２のスイッチ（２０８）、前記第６のスイッチ（８０２）および前記第４の電流制御手段（８０１）と接続し、 
前記第１のスイッチ（２０７）の他端は前記接地線（２１２）に接続し、 
前記第1のスイッチ（２０７）をＯＦＦ、前記第2のスイッチ（２０８）をＯＮ、前記第６のスイッチ（８０２）をＯＦＦすることにより、 
前記電源部（１０９）から前記第３の電流制御手段（８００）および前記第４の電流制御手段（８０１）を介して前記コンデンサ（２０６）へ充電を行い、 
前記第1のスイッチ（２０７）をＯＮ、前記第2のスイッチ（２０８）をＯＮ、前記第6のスイッチ（８０２）をＯＦＦすることにより、 
前記コンデンサ（２０６）に蓄えられたエネルギーを用いて、前記第１の電力を前記アクチェエータ（２０５）へ供給することを特徴とし、
第２のパスを形成する手段（１０９、２０７、８００、８０２）は、
前記第1のスイッチ（２０７）をＯＮ、前記第2のスイッチ（２０８）をＯＦＦ、前記第６のスイッチ（８０２）をＯＮすることにより、 
前記電源部（１０９）から前記第３の電流制御手段（８００）を介して、前記第２の電力を前記アクチュエータ（２０５）へ供給することを特徴とする撮像装置。
【発明の詳細な説明】
【技術分野】
【０００１】
本発明は、撮像装置に関し、特にロータリーマグネット式シャッターを備えた撮像装置に関する。
【背景技術】
【０００２】
従来、ロータリーマグネット式シャッター装置において、シャッター幕走行の精度向上を目的とした、プリ通電という技術が知られている。特許文献１には、ロータリーマグネット式シャッター装置の構造およびプリ通電の技術が開示されている。
【先行技術文献】
【特許文献】
【０００３】
【特許文献１】特開２００９−１７５４４８号公報
【発明の概要】
【発明が解決しようとする課題】
【０００４】
しかしながら、上述の特許文献１に開示された従来技術では、プリ通電実現のための具体的な回路構成および制御方法には言及していない。また、従来実施されている回路構成では、プリ通電によりアクチュエータ駆動用コンデンサに充電された電荷の一部が放電するため、本通電（シャッター幕走行開始）までに、放電した電荷を充電するための時間が必要となるため、レリーズタイムラグ（撮影開始信号ＯＮからシャッター幕走行までの時間）を律速していた。
【０００５】
そこで、本発明の目的は、従来技術に対し、適切な回路構成および制御方法を提案することで、プリ通電から本通電までに必要な時間を短縮可能な撮像装置を提供することにある。
【課題を解決するための手段】
【０００６】
上記の目的を達成するために、本発明に係る撮像装置は、
撮像素子（１０４）への光路を遮蔽するように、前記撮像素子（１０４）に対して走行するシャッター幕（２００）と、
前記シャッター幕（２００）を走行させる駆動部材（２０１）と、
前記シャッター幕（２００）を走行させるために前記駆動部材（２０１）を付勢する付勢部材（２０２）と、
前記駆動部材（２０１）を前記付勢部材（２０２）による付勢力に抗した状態で係止する係止部材（２０３）と、
前記係止部材（２０３）による前記駆動部材（２０１）の係止を解除するために駆動されるアクチュエータ（２０５）と、
各ブロックに電源を供給する電源部（１０９）と、
前記アクチュエータ（２０５）を駆動させ、且つ前記係止部材（２０３）を解除し前記シャッター幕（２００）を走行させるための第１の電力を蓄えるコンデンサ（２０６）と、
前記コンデンサ（２０６）の放電を行う 第1のスイッチ（２０７） と、
前記コンデンサ（２０６）と直列に接続された第２のスイッチ（２０８）と、
前記第１の電力を、前記アクチュエータ（２０５）に供給する第１のパスを形成する手段（２０６、２０７、２０８）と
前記撮像素子（１０４）を露光するための露光動作前に、前記第１の電力より少なく、且つ前記係止部材（２０３）を解除しない程度の第2の電力を前記アクチュエータ（２０５）に供給するための第２のパスを形成する手段（１０９、２０４、２０７）
を有することを特徴とする撮像装置おいて、  
前記第１のパスを形成する手段（２０６、２０７、２０８）は、
前記コンデンサ（２０６）の片端を前記接地線（２１２）、他端を前記第2のスイッチ（２０８）を介して前記電源部（１０９）および前記アクチュエータ（２０５）と接続し、 
前記アクチュエータ（２０５）の片端を前記第1のスイッチ（２０７）、他端を前記第2のスイッチ（２０８）および電源部（１０９）と接続し、
前記第1のスイッチ（２０７）の他端を前記接地線（２１２）に接続し、 
前記第1のスイッチ（２０７）をＯＮ、前記第2のスイッチ（２０８）をＯＮすることにより、 
前記コンデンサ（２０６）に蓄えられたエネルギーを用いて、前記第1の電力を前記アクチュエータ（２０５）へ供給することを特徴とし、
前記第２のパスを形成する手段（１０９、２０４、２０７）は、 
前記第1のスイッチ（２０７）をＯＮ、前記第2のスイッチ（２０８）をＯＦＦすることにより、 
前記電源部（１０９）から、前記第2の電力を前記アクチュエータ（２０５）へ供給することを特徴 とする。
【発明の効果】
【０００７】
本発明に係る撮像装置によれば、プリ通電に必要な電力を、本通電用コンデンサとは別のコンデンサ、あるいは別の電源（電池）より供給することで、本通電の為のコンデンサ再充電が不要になり、レリーズタイムラグが改善される。
【図面の簡単な説明】
【０００８】
【図１】実施形態における撮像装置全体の構成図
【図２】実施形態1におけるシャッター駆動部構成図
【図３】実施形態1における制御シーケンス
【図４】実施形態2におけるシャッター駆動部構成図
【図５】実施形態2における制御シーケンス
【図６】実施形態3におけるシャッター駆動部構成図
【図７】実施形態3における制御シーケンス
【図８】実施形態4におけるシャッター駆動部構成図
【図９】実施形態4における制御シーケンス
【発明を実施するための形態】
【０００９】
以下、本発明を実施するための形態を図面に基づいて説明する。
【００１０】
［第一の実施形態］
本発明の第一の実施形態について、添付の図面に基づいて詳細に説明する。図１は第一の実施形態にかかわる、ロータリーマグネット式シャッターユニットを備えたデジタルカメラ等の撮像装置の構成図である。
【００１１】
１００は被写体像からの光量を収束させるためレンズ群である。１０１は所定時間被写体光束を透過するロータリーマグネット式シャッターユニットである。１０２は絞り部及びフォーカスレンズ、ズームレンズを駆動させる為のレンズドライバである。
【００１２】
１０３は前記シャッターユニットを駆動する為のシャッター駆動部である。１０４はＣＭＯＳセンサ等でレンズを抜けた被写体象の光を電気信号に変換する為の半導体撮像素子である。１０５はあらゆる制御および処理を行うカメラシステムである。１０６は前記カメラシステム内部に含まれ、撮像素子からのデータ信号を受け、画像処理を行い所望の静止画/動画フォーマットに変換する画像処理部である。１０７は前記カメラシステム内部に含まれ、前記レンズユニット、前記シャッターユニット等を制御する制御部である。
【００１３】
１０８はユーザーが扱うことのできる2段式スイッチ（半押し、全押し）で、前記制御部に対して撮影開始（シャッター幕走行開始）信号等を入力することができるシャッター釦である。１０９は、電源部であり、前記制御部によって制御され、撮像装置内の各ブロックへ電源を供給する。
【００１４】
図１のブロック図を用いて、撮影準備および撮影動作についてカメラの動作を説明する。シャッター釦（１０８）の半押し動作により、制御部（１０７）は、レンズ駆動部（１０２）を介して、絞り部・フォーカス部を適正に制御する。ただし、マニュアル操作の場合はこの限りではなく、設定されたフォーカス/絞りのまま撮影状態となる。シャッター釦（１０８）の全押し動作により、制御部（１０７）は、シャッター駆動部（１０３）を介して、シャッターユニット（１０１）を制御し、所定の露光時間だけ撮像素子（１０４）を露光する。
【００１５】
制御部（１０７）からの読み出し開始信号に合わせて、撮像素子（１０４）から画像処理部（１０６）へ画像データを転送する。画像処理部（１０６）は制御部（１０７）によって制御され、所望の静止画/動画フォーマットに変換する。
【００１６】
図２は第一の実施形態に関わる、シャッター駆動部およびその周辺の構成図である。２００から２０３は、前記シャッターユニット（１０１）に含まれ、２００は、前記撮像素子（１０４）への光路を遮蔽するように走行するシャッター幕である。２０１は、前記シャッター幕（２００）を走行させるためのシャッター幕駆動部材である。２０２は、前記駆動部材（２０１）を付勢する付勢部材である。２０３は、前記付勢部材（２０２）による付勢力を保った状態で係止する係止部材である。
【００１７】
２０４から２０８は、前記シャッター駆動部（１０３）に含まれ、２０４は、前記電源部（１０９）からの電流を制御する、電流制御手段である。２０５は、前記シャッターユニット（１０１）の係止部材（２０３）を解除し、シャッター幕（２００）を走行させるためのアクチュエータである。２０６は、前記アクチュエータ（２０５）を駆動するための電力を蓄えるコンデンサである。２０７は、前記制御部（１０７）によって制御され、前記アクチュエータ（２０５）への通電ＯＮ/ＯＦＦを切り替える第１のスイッチである。
【００１８】
２０８は、前記制御部（１０７）によって制御され、前記コンデンサ（２０６）への充電ＯＮ/ＯＦＦを切り替える第２のスイッチである。２０９は、前記電源部（１０９）から前記電流制御手段（２０４）を介して、前記コンデンサ（２０６）を充電する充電パスを示している。２１０は、前記電源部（１０９）から前記電流制限手段（２０４）を介して、前記アクチュエータ（２０５）へ電力を供給するプリ通電パスを示している。２１１は、前記コンデンサ（２０６）に蓄えられた電力を前記アクチュエータ（２０５）へ供給する本通電パスを示している。２１２は、撮像装置における接地線である。
【００１９】
図３は第一の実施形態に関わる、シャッター駆動部の制御シーケンスである。３００は、シャッター釦（１０８）半押し動作が行われるタイミングT1である。３０１は、シャッター釦（１０８）全押し動作が行われるタイミングT2である。３０２は、前記T2（３０１）から所定時間だけ後のタイミングT3である。３０３は、前記T3（３０２）から所定時間だけ後のタイミングT4である。またT3からT4までの時間は、シャッター駆動以外の処理に要する時間であり、本発明においては0でも構わない。
【００２０】
図２、図３を用いて、第一の実施形態の制御シーケンスについて説明する。シャッター釦（１０８）の半押し動作を行うと、電源部（１０９）から電流制御手段（２０４）を介して、充電パス（２０９）でコンデンサ（２０６）を充電する。シャッター釦（１０８）の全押し動作を行うと、制御部（１０７）は第１のスイッチ（２０７）をＯＮ、第２のスイッチ（２０８）をＯＦＦしプリ通電を行う。その後、所定時間だけ後の時間T3（３０２）に第１のスイッチ（２０７）をＯＦＦ、第２のスイッチ（２０８）をＯＮする。この間、プリ通電パス（２１０）で電源部（１０９）からアクチュエータ（２０５）へ電力が供給されるが、付勢部材（２０２）の係止部材（２０３）を外すには至らない。
【００２１】
次に、T3（３０２）から所定時間だけ後のT4（３０３）で、制御部（１０７）は第１のスイッチ（２０７）をＯＮし、本通電を行う。このとき、本通電パス（２１１）でコンデンサ（２０６）からアクチュエータ（２０５）へ電力が供給される。供給された電力によりアクチュエータ（２０５）は付勢部材（２０２）の係止部材（２０３）を解除し、その結果シャッター幕（２００）が走行する。
【００２２】
以上、本発明の実施形態によれば、ロータリーマグネット式シャッターにおいてプリ通電で必要な電力を電源部から供給することで、プリ通電から本通電までに必要な時間を短縮することが可能である。
【００２３】
［第二の実施形態］
次に本発明の第二の実施形態について説明する。撮像装置の構成図は第一の実施形態と同様である。図４は第二の実施形態に関わる、シャッター駆動部の構成図である。図２と同一部材には同一符号を付けている。４００は、前記アクチュエータ（２０５）にプリ通電を行うための電力を蓄えるサブコンデンサである。
【００２４】
４０１は、前記制御部（１０７）によって制御され、前記サブコンデンサ（４００）への充電ＯＮ/ＯＦＦを切り替える第３のスイッチである。４０２は、前記電源部（１０９）から前記電流制限手段（２０４）を介して、前記サブコンデンサ（４００）を充電するためのサブコン充電パスを示している。４０３は、前記サブコンデンサ（４００）から、前記アクチュエータ（２０５）へ電力を供給するプリ通電パスを示している。
【００２５】
図５は第二の実施形態に関わる、シャッター駆動部の制御シーケンスである。第３のスイッチ制御信号シーケンスとサブコンデンサ電圧グラフが追加になっていること以外は、図３と同様である。図４、図５を用いて、第二の実施形態の制御シーケンスについて説明する。
【００２６】
シャッター釦（１０８）の半押し動作を行うと、電源部（１０９）から電流制御手段（２０４）を介して、充電パス（２０９）およびサブコン充電パス（４０２）でコンデンサ（２０６）およびサブコンデンサ（４００）を充電する。シャッター釦（１０８）の全押し動作を行うと、制御部（１０７）は第１のスイッチ（２０７）をＯＮ、第２のスイッチ（２０８）をＯＦＦしプリ通電を行う。その後、所定時間だけ後の時間T3（３０２）に第１のスイッチ（２０７）をＯＦＦ、第２のスイッチ（２０８）をＯＮ、第３のスイッチ（４０１）をＯＦＦする。
【００２７】
この間、プリ通電パス（４０３）でサブコンデンサ（４００）からアクチュエータ（２０５）へ電力が供給されるが、付勢部材（２０２）の係止部材（２０３）を外すには至らない。
【００２８】
次に、T3（３０２）から所定時間だけ後のT4（３０２）で、制御部（１０７）は第１のスイッチ（２０７）をＯＮし、本通電を行う。このとき、本通電パス（２１１）でコンデンサ（２０６）からアクチュエータ（２０５）へ電力が供給される。供給された電力によりアクチュエータ（２０５）は付勢部材（２０２）の係止部材（２０３）を解除し、その結果シャッター幕（２００）が走行する。
【００２９】
以上、本発明の実施形態によれば、第一の実施形態の効果に加え、プリ通電を行う際の電流を最適化することが可能である。
【００３０】
［第三の実施形態］
次に本発明の第三の実施形態について説明する。撮像装置の構成図は第一の実施形態と同様である。図６は第三の実施形態に関わる、シャッター駆動部の構成図である。図２と同一部材には同一符号を付けている。
【００３１】
６００は、前記電源部（１０９）からの電流を制御する、第１の電流制御手段である。
６０１は、前記電源部（１０９）からの電流を制御し、前記第１の電流制御手段（８００）よりも電流制限が小さい第２の電流制御手段である。６０２は、前記制御部（１０７）によって制御され、前記電源部（１０９）から前記コンデンサ（２０６）への充電パスのＯＮ/ＯＦＦを切り替える第４のスイッチである。
【００３２】
６０３は、前記制御部（１０７）によって制御され、前記電源部（１０９）から前記アクチュエータ（２０５）に電力を供給するプリ通電パスのＯＮ/ＯＦＦを切り替える第５のスイッチである。６０４は、前記電源部（１０９）から前記第１の電流制御手段（６００）を介して、前記コンデンサ（２０６）を充電する充電パスを示している。６０５は、前記電源部（１０９）から前記第２の電流制御手段（６０１）を介して、前記アクチュエータ（２０５）に電力を供給するプリ通電パスを示している。
【００３３】
図７は第三の実施形態に関わる、シャッター駆動部の制御シーケンスである。第４、第５のスイッチ制御信号シーケンスが追加になっていること以外は、図３と同様である。
【００３４】
図６、図７を用いて、第三の実施形態の制御シーケンスについて説明する。シャッター釦（１０８）の半押し動作を行うと、電源部（１０９）から第１の電流制御手段（６００）を介して、充電パス（６０４）でコンデンサ（２０６）を充電する。シャッター釦（１０８）の全押し動作を行うと、制御部（１０７）は第１のスイッチ（２０７）および第５のスイッチ（６０３）をＯＮ、第２のスイッチ（２０８）および第４のスイッチ（６０２）をＯＦＦしプリ通電を行う。その後、所定時間だけ後の時間T3（３０２）に第１のスイッチ（２０７）および第５のスイッチ（６０３）をＯＦＦ、第２のスイッチ（２０８）および第４のスイッチ（６０２）をＯＮする。
【００３５】
この間、プリ通電パス（６０５）で電源部（１０９）からアクチュエータ（２０５）へ電力が供給されるが、付勢部材（２０２）の係止部材（２０３）を外すには至らない。
【００３６】
次に、T3（３０２）から所定時間だけ後のT4（３０３）で、制御部（１０７）は第１のスイッチ（２０７）をＯＮし、本通電を行う。このとき、本通電パス（２１１）でコンデンサ（２０６）からアクチュエータ（２０５）へ電力が供給される。供給された電力によりアクチュエータ（２０５）は付勢部材（２０２）の係止部材（２０３）を解除し、その結果シャッター幕（２００）が走行する。
【００３７】
以上、本発明の実施形態によれば、第一の実施形態の効果に加え、コンデンサを充電するための充電電流およびプリ通電を行う際の電流を最適化することが可能である。
【００３８】
［第四の実施形態］
次に本発明の第四の実施形態について説明する。撮像装置の構成図は第一の実施形態と同様である。
【００３９】
図８は第四の実施形態に関わる、シャッター駆動部の構成図である。図２と同一部材には同一符号を付けている。
【００４０】
８００は、前記電源部（１０９）からの電流を制御する、第３の電流制御手段である。８０１は、前記電源部（１０９）からの電流を制御し、前記第３の電流制御手段（８００）と直列に接続された、第４の電流制御手段である。８０２は、前記制御部（１０７）によって制御され、前記電源部（１０９）から、前記第３の電流制御手段（８０１）を介して、前記アクチュエータ（２０５）に通電するためのプリ通電パスのＯＮ/ＯＦＦを切り替えるための第６のスイッチである。
【００４１】
８０３は、前記電源部（１０９）から、前記第３の電流制御手段（８００）および前記第４の電流制御手段（８０１）を介して、前記コンデンサ（２０６）を充電する充電パスを示している。８０４は、前記電源部（１０９）から、前記第３の電流制御手段（８０１）を介して、前記アクチュエータ（２０５）に電力を供給するプリ通電パスを示している。
【００４２】
図９は第四の実施形態に関わる、シャッター駆動部の制御シーケンスである。第６のスイッチ制御信号シーケンスが追加になっていること以外は、図３と同様である。
【００４３】
図８、図９を用いて、第四の実施形態の制御シーケンスについて説明する。シャッター釦（１０８）の半押し動作を行うと、電源部（１０９）から第３の電流制御手段（８００）および第４の電流制御手段（８０１）を介して、充電パス（８０３）でコンデンサ（２０６）を充電する。
【００４４】
シャッター釦（１０８）の全押し動作を行うと、制御部（１０７）は第１のスイッチ（２０７）および第６のスイッチ（８０２）をＯＮ、第２のスイッチ（２０８）をＯＦＦしプリ通電を行う。その後、所定時間だけ後の時間T3（３０２）に第１のスイッチ（２０７）および第６のスイッチ（８０２）をＯＦＦ、第２のスイッチ（２０８）をＯＮする。この間、プリ通電パス（８０４）で電源部（１０９）からアクチュエータ（２０５）へ電力が供給されるが、付勢部材（２０２）の係止部材（２０３）を外すには至らない。
【００４５】
次に、T3（３０２）から所定時間だけ後のT4（３０３）で、制御部（１０７）は第１のスイッチ（２０７）をＯＮし、本通電を行う。このとき、本通電パス（２１１）でコンデンサ（２０６）からアクチュエータ（２０５）へ電力が供給される。供給された電力によりアクチュエータ（２０５）は付勢部材（２０２）の係止部材（２０３）を解除し、その結果シャッター幕（２００）が走行する。
【００４６】
以上、本発明の実施形態によれば、第三の実施形態の効果に加え、スイッチ素子を１つ削減することが可能である。ここまで、本発明の好ましい実施形態について説明したが、本発明はこれらの実施形態に限定されず、その要旨の範囲内で種々の変形及び変更が可能である。
【符号の説明】
【００４７】
１０１  ロータリーマグネット式シャッターユニット、１０３  シャッター駆動部、
１０５  カメラシステム、１０７  制御部、１０８  シャッター釦、１０９  電源部、
２００  シャッター幕、２０１  シャッター幕駆動部材、２０２  付勢部材、
２０３  係止部材、２０４  電流制御手段、２０５  アクチュエータ、
２０６  コンデンサ、２０７  第１のスイッチ、２０８  第２のスイッチ、
３００  シャッター釦半押し動作が行われるタイミングT1、
３０１  シャッター釦全押し動作が行われるタイミングT2、
３０２  T2から所定時間だけ後のタイミングT3、
３０３  T3から所定時間だけ後のタイミングT4
【図１】
2017037203.tif 000003
【図２】
2017037203.tif 000004
【図３】
2017037203.tif 000005
【図４】
2017037203.tif 000006
【図５】
2017037203.tif 000007
【図６】
2017037203.tif 000008
【図７】
2017037203.tif 000009
【図８】
2017037203.tif 000010
【図９】
2017037203.tif 000011